【手続補正書】
【提出日】平成20年10月20日(2008.10.20)
【手続補正１】
【補正対象書類名】明細書
【補正対象項目名】特許請求の範囲
【補正方法】変更
【補正の内容】
【特許請求の範囲】
【請求項１】  複数の図柄を含む識別情報を表示する表示装置と、その表示装置に表示される識別情報を用いた複数種類の動的形態に対応した複数の形態情報を記憶する形態記憶手段と、所定の始動条件の成立を検出する検出手段と、その検出手段によって前記始動条件の成立が検出された場合に抽選を行う抽選手段と、その抽選手段による抽選結果に基づいて前記形態記憶手段に記憶された形態情報を抽出する抽出手段と、その抽出手段により抽出された形態情報に基づいて前記表示装置に前記識別情報の動的表示を行わせる変動実行手段と、前記抽選手段により所定の抽選結果が導出された場合に第１状態から遊技者にとって有利な第２状態に切り替わる変動入賞手段とを備え、前記所定の抽選結果が導出されると、前記表示装置に予め定めた図柄の組み合わせを現出させると共に前記変動入賞手段によって遊技者に所定の遊技価値を付与する遊技機において、
前記形態記憶手段は、
複数の図柄を所定の方向にスクロール表示させた後に、所定の停止順序で停止表示させるスクロール形態情報と、
複数の図柄を一旦消去した後に現出させる消去現出形態情報とを備え、
前記変動実行手段は、
前記抽選手段により前記所定の抽選結果が導出され、前記抽出手段により前記スクロール形態情報が抽出された場合に、リーチ変動を実行させた後に前記予め定めた図柄の組み合わせを現出させる所定抽選結果時スクロール変動実行手段と、
前記抽選手段により前記所定の抽選結果とは異なる抽選結果が導出され、前記抽出手段により前記スクロール形態情報が抽出された場合に、リーチ変動またはハズレ変動を実行させた後に前記予め定めた図柄の組み合わせとは異なる図柄の組み合わせを現出させる非所定抽選結果時スクロール変動実行手段と、
前記抽選手段により前記所定の抽選結果が導出され、前記抽出手段により前記消去現出形態情報が抽出された場合に、前記リーチ変動を実行させることなく前記予め定めた図柄の組み合わせを現出させる所定抽選結果時消去現出変動実行手段と、
前記抽選手段により前記所定の抽選結果とは異なる抽選結果が導出され、前記抽出手段により前記消去現出形態情報が抽出された場合に、前記リーチ変動または前記ハズレ変動を実行させることなく前記予め定めた図柄の組み合わせとは異なる図柄の組み合わせを現出させる非所定抽選結果時消去現出変動実行手段とを備えていることを特徴とする遊技機。
【請求項２】  前記遊技機はパチンコ機であることを特徴とする請求項１に記載の遊技機。
【手続補正２】
【補正対象書類名】明細書
【補正対象項目名】０００６
【補正方法】変更
【補正の内容】
【０００６】
本発明は、上記例示した問題点等を解決するためになされたものであり、１の始動条件の成立に基づく動的表示であるか、複数の始動条件の成立に基づく動的表示であるかを、遊技者が認識し難くすることができる遊技機を提供することを目的としている。
【手続補正３】
【補正対象書類名】明細書
【補正対象項目名】０００７
【補正方法】変更
【補正の内容】
【０００７】
【課題を解決するための手段】  この目的を達成するために請求項１記載の遊技機は、複数の図柄を含む識別情報を表示する表示装置と、その表示装置に表示される識別情報を用いた複数種類の動的形態に対応した複数の形態情報を記憶する形態記憶手段と、所定の始動条件の成立を検出する検出手段と、その検出手段によって前記始動条件の成立が検出された場合に抽選を行う抽選手段と、その抽選手段による抽選結果に基づいて前記形態記憶手段に記憶された形態情報を抽出する抽出手段と、その抽出手段により抽出された形態情報に基づいて前記表示装置に前記識別情報の動的表示を行わせる変動実行手段と、前記抽選手段により所定の抽選結果が導出された場合に第１状態から遊技者にとって有利な第２状態に切り替わる変動入賞手段とを備え、前記所定の抽選結果が導出されると、前記表示装置に予め定めた図柄の組み合わせを現出させると共に前記変動入賞手段によって遊技者に所定の遊技価値を付与するものであり、前記形態記憶手段は、複数の図柄を所定の方向にスクロール表示させた後に、所定の停止順序で停止表示させるスクロール形態情報と、複数の図柄を一旦消去した後に現出させる消去現出形態情報とを備え、前記変動実行手段は、前記抽選手段により前記所定の抽選結果が導出され、前記抽出手段により前記スクロール形態情報が抽出された場合に、リーチ変動を実行させた後に前記予め定めた図柄の組み合わせを現出させる所定抽選結果時スクロール変動実行手段と、前記抽選手段により前記所定の抽選結果とは異なる抽選結果が導出され、前記抽出手段により前記スクロール形態情報が抽出された場合に、リーチ変動またはハズレ変動を実行させた後に前記予め定めた図柄の組み合わせとは異なる図柄の組み合わせを現出させる非所定抽選結果時スクロール変動実行手段と、前記抽選手段により前記所定の抽選結果が導出され、前記抽出手段により前記消去現出形態情報が抽出された場合に、前記リーチ変動を実行させることなく前記予め定めた図柄の組み合わせを現出させる所定抽選結果時消去現出変動実行手段と、前記抽選手段により前記所定の抽選結果とは異なる抽選結果が導出され、前記抽出手段により前記消去現出形態情報が抽出された場合に、前記リーチ変動または前記ハズレ変動を実行させることなく前記予め定めた図柄の組み合わせとは異なる図柄の組み合わせを現出させる非所定抽選結果時消去現出変動実行手段とを備えている。
【手続補正４】
【補正対象書類名】明細書
【補正対象項目名】０００８
【補正方法】変更
【補正の内容】
【０００８】
請求項２記載の遊技機は、請求項１記載の遊技機において、前記遊技機はパチンコ機である。
【手続補正５】
【補正対象書類名】明細書
【補正対象項目名】０００９
【補正方法】変更
【補正の内容】
【０００９】
【手続補正６】
【補正対象書類名】明細書
【補正対象項目名】００１０
【補正方法】変更
【補正の内容】
【００１０】
【手続補正７】
【補正対象書類名】明細書
【補正対象項目名】００１１
【補正方法】変更
【補正の内容】
【００１１】
【手続補正８】
【補正対象書類名】明細書
【補正対象項目名】００１２
【補正方法】変更
【補正の内容】
【００１２】
【発明の効果】  本発明の遊技機によれば、抽選手段により所定の抽選結果が導出され、抽出手段によりスクロール形態情報が抽出された場合には、所定抽選結果時スクロール変動実行手段により、リーチ変動を実行させた後に予め定めた図柄の組み合わせが現出され、抽選手段により所定の抽選結果とは異なる抽選結果が導出され、抽出手段によりスクロール形態情報が抽出された場合には、非所定抽選結果時スクロール変動実行手段により、リーチ変動またはハズレ変動を実行させた後に予め定めた図柄の組み合わせとは異なる図柄の組み合わせが現出される。また、抽選手段により所定の抽選結果が導出され、抽出手段により消去現出形態情報が抽出された場合には、所定抽選結果時消去現出変動実行手段により、リーチ変動を実行させることなく予め定めた図柄の組み合わせが現出され、抽選手段により所定の抽選結果とは異なる抽選結果が導出され、抽出手段により消去現出形態情報が抽出された場合には、非所定抽選結果時消去現出変動実行手段により、リーチ変動またはハズレ変動を実行させることなく予め定めた図柄の組み合わせとは異なる図柄の組み合わせが現出される。よって、変動実行手段によって表示装置に表示される動的表示が、１の始動条件の成立に基づく動的表示であるか、複数の始動条件の成立に基づく動的表示であるかを、遊技者が認識し難くすることができるという効果がある。
【手続補正９】
【補正対象書類名】明細書
【補正対象項目名】００１３
【補正方法】変更
【補正の内容】
【００１３】
【手続補正１０】
【補正対象書類名】明細書
【補正対象項目名】００１４
【補正方法】変更
【補正の内容】
【００１４】
【手続補正１１】
【補正対象書類名】明細書
【補正対象項目名】０２２１
【補正方法】変更
【補正の内容】
【０２２１】
また、後述する遊技機１における回数表示更新手段としては、上記第１，第３〜第５実施例における音声ランプ制御基板Ｌ（保留ＬＥＤ８２を点灯する図１５のＳ１０３の処理）が該当し、遊技状態判定手段としては、上記実施例における始動入賞時に取得して演出実行１〜４メモリ２３ｉ〜２３ｋに書き込まれた内部乱数カウンタ２３ｂの値が大当たりを発生させる値「７」か確認する処理（図９，図１８及び図２５のＳ２６の処理）が該当する。回数表示変更手段としては、上記第１，第３〜第５実施例における４個の補助ＬＥＤ８３と演出実行メモリ書換処理（図９のＳ２７並びに図１８及び図２５のＳ２１１の各処理）とその演出実行メモリ書換処理に基づいて４個の補助ＬＥＤ８３をすべて点滅させる処理（図１５のＳ１０５の処理）とが該当する。回数表示復帰手段としては、上記第１，第３〜第５実施例における点滅中の４個の補助ＬＥＤ８３をすべて消灯する処理（図１５のＳ１０７の処理）が該当する。また、上記第２実施例においては、回数表示更新手段、回数表示変更手段、および、回数表示復帰手段としては、ＬＣＤ３の回数表示領域１０１に表示される画像を制御する表示用制御基板Ｄが該当する。
【手続補正１２】
【補正対象書類名】明細書
【補正対象項目名】０２２２
【補正方法】変更
【補正の内容】
【０２２２】
また、後述する遊技機１における回数表示変更手段が、「遊技状態判定手段の判定に基づいて・・・特定の態様に変化させる」とは、遊技状態判定手段の判定結果に対応して回数表示部の態様を特定の態様に変化させることを意味しており、遊技状態判定手段によって遊技状態を特定の遊技状態へ遷移させると判定された場合に、回数表示部の態様を、各回数（各待機回数）毎に設定された複数種類の態様とは異なる特定の態様に変化させることとしても良い。また、待機回数表示手段によって回数表示部に表示される複数種類の態様としては、ＬＣＤや７セグメントのダイオード等によって数字で待機回数が表示される場合における待機回数毎に各数字で表示される態様であっても、予め定められた区画内における特定の態様を有する領域の数（例えば、赤色で点灯するランプの点灯数）や大きさ等で表示される場合におけるその区画に待機回数毎に表示される態様であっても良い。
【手続補正１３】
【補正対象書類名】明細書
【補正対象項目名】０２２３
【補正方法】変更
【補正の内容】
【０２２３】
また、後述する遊技機１における回数表示変更手段によって変化させられる回数表示部における特定の態様としては、各回数毎に設定された複数種類の態様とは全く別の態様に変化させるものはもちろん、一時的には複数種類の態様のいずれかに一致するものの、連続的に態様を変化させることにより遊技者が視認した場合に複数種類の態様とは異なる態様として視認し得るものをも含む趣旨である。例えば、回数表示部に各回数毎に特定色（例えば赤色）の発光体（ランプ）の点灯個数を異ならせた態様を複数種類の態様として設定された場合に、その複数種類の態様を連続して変化させる態様（ランプの点灯個数が１個、２個、３個、４個と次第に増加した後に、再度１個からランプの点灯増加が開始される態様）を特定の態様としても良い。
【手続補正１４】
【補正対象書類名】明細書
【補正対象項目名】０２２４
【補正方法】変更
【補正の内容】
【０２２４】
また、後述する遊技機１において「長続形態を区分した各区分と同一又は類似の態様を示す区分形態」とは、長続形態の一部と完全に同一の態様を示す動的表示に対応する形態はもちろん、遊技者が長続形態と同一の態様と視認し得る程度に類似した態様を示す動的表示に対応する形態をも含むことを意味している。例えば、長続形態の態様に対して区分形態の態様が、変動途中における図柄の停止時間が僅かに長い（或いは短い）ものであったり、長続形態においては変動途中では図柄が静止しないで動作を継続するのに対して、区分形態においては各区分形態の区切りで図柄が一旦静止するものであっても良い。「複数の区分形態情報が所定の順序に従って抽出手段によって抽出された場合」とは、変動実行手段により行われる動的表示が所定の動的表示と同一又は類似の態様を示す動的表示となる順序に従うように抽出手段によって複数の区分形態情報が抽出された場合を意味し、制御の上で区分形態情報を抽出する順序を意味するものではない。
【手続補正１５】
【補正対象書類名】明細書
【補正対象項目名】符号の説明
【補正方法】変更
【補正の内容】
【符号の説明】
３        ＬＣＤ（表示装置）
８        保留表示装置
２２      主制御基板のＲＯＭ（形態記憶手段）
２２ａ，１２２ａ，２２２ａ  変動パターン決定テーブル（形態記憶手段の一部）
２７      始動口スイッチ（検出手段の一部）
３３      表示用制御基板のＲＡＭ
３３ａ    保留球カウンタ
８３      補助ＬＥＤ
Ｃ        主制御基板
Ｄ        表示用制御基板（変動実行手段）
Ｌ        音声ランプ制御基板
Ｐ        パチンコ機（遊技機）